(57)【要約】  【課題】  テープ型照明器具を両面テープで窓に取付けた場合、テープ部分は透明のものを使用することにより目立たなくさせることが出来ても、テープ部分を透明にすると逆に導体部が目立ってしまう。このことに鑑みて、本発明は、窓に取付ける照明器具の導体配線部を目立たなくさせるパネル型照明器具を提供する。  【解決手段】  基板１にスペーサ４、導体５、ソケット挿入部６を備えた板状パネルを複数枚重ね、最上部に基板１にスペーサ４、導体５を備えておらず、ソケット挿入部６を備えた板状パネルを重ねたパネル型照明器具によって、導体の配置をパネル型照明器具の厚さ方向に配置することによって、導体５の見える本数を最小とすることができる。【選択図】        図１
2005181457.tif 000002
【特許請求の範囲】
【請求項１】
基板上に設けられた複数列のスペーサと、そのスペーサの片面に貼付された導体と、その導体に隣接する位置に設けられた複数のソケット挿入部とを備えた板状パネルを複数枚重ねたことを特徴とするパネル型照明器具。
【請求項２】
前記の複数板状パネルのスペーサが前記のソケット挿入部の片側のみに配置されることを特徴とする請求項１に記載のパネル型照明器具。
【請求項３】
前記の複数の板状パネルのスペーサが前記のソケット挿入部の両側に配置されることを特徴とする請求項１に記載のパネル型照明器具。
【請求項４】
基板上に設けられた複数列のスペーサと、そのスペーサの片面に貼付された導体と、その導体に隣接する位置に設けられた複数のソケット挿入部とを備えた板状パネル。
【請求項５】
請求項１乃至３に記載のパネル型照明器具に取付けるソケットにおいて、前記ソケットは複数の電極を備え、その複数の電極はソケットの高さ方向に配置され、その各電極はそれぞれ各板状パネルのスペーサに貼付された導体と接触する位置に配置されたことを特徴とするソケット。
【請求項６】
請求項５に記載のソケットにおいて、前記電極は、一端はソケットの外周を構成する本体部に固定され、他端は前記本体部に開けられた孔を介して外部に突出していることを特徴とするソケット。
【請求項７】
請求項５に記載の電極において、前記電極は、一端はソケットの外周を構成する本体部に固定され、他端は自由端に構成され、前記一端と他端間は弾性体で構成され、前記の弾性体の一部に突起部が設けられ、前記の突起部は本体部に開けられた孔を介して外部に突出していることを特徴とするソケット。
【請求項８】
複数列の配線が基板内に埋め込まれたパネル型照明器具において、前記の基板内で異なる高さに配置された複数列の配線と、前記の各配線のそれぞれに接続され、ソケットの電極を嵌め込むための複数のソケット電極受け部を備えたことを特徴とするパネル型照明器具。
【請求項９】
請求項８に記載のソケットにおいて、ソケットの複数の電極はソケットの底面から突出するように配置され、いずれか１つの電極の径のみが大きく構成され、前記の電極を前記ソケット電極受け部に嵌め込むことによって前記パネル型照明器具の基板に取付けられることを特徴とするソケット。
【発明の詳細な説明】
【技術分野】
【０００１】
本発明は、パネル型照明器具に関し、特に建物の窓等に取付けて、絵や文字を表示するためのパネル型照明器具に関する。
【背景技術】
【０００２】
クリスマスの時等に建物の窓等に電球を多数並べて、例えば、ハートの形状やクリスマスツリーの形状を表示させ、街の雰囲気を華やかにすることが行われている。
【０００３】
従来は、多数の電球を建物の窓等に取付ける方法の一つとして、特許文献１で開示されているような等間隔で電球を嵌め込むためのソケットが取付けられたテープ型照明器具が使われていた。このテープ型照明器具は、ポリ塩化ビニール等の素材中に２本の導体が埋込まれている。そのテープ型照明器具のテープ部分を両面テープ等により、窓に貼り付けることによって多数の電球を窓に取付けていた。
【０００４】
図１５は、特許文献１で開示されている２本の導体５―１、５−２を使ったテープ型照明器具である。電球の端子の一方にダイオードを接続することによって、電流の流れの方向を制御して、等間隔に並んだ電球を１つおきに切り替えて点灯させていた。
【０００５】
【特許文献１】実開昭６１−４２０９６
【発明の開示】
【発明が解決しようとする課題】
【０００６】
しかしながら、前述の従来技術のテープ型照明器具を両面テープで窓に取付けた場合、テープ部分は透明のものを使用することにより目立たなくさせることが出来ても、導体部が目立ってしまう。
【０００７】
また、例えば、従来技術のテープ型照明器具を建物の窓に貼り付けた場合、建物の外側から見る場合には、導体部は気にならないが、建物の内部から窓を見ると導体部は目立って見え、美感を損ねる。建物の内部から見ても美感を損ねない照明器具があれば、建物の内部にいる人達にも楽しんでもらえる照明器具の利用が可能となり、使用方法に幅が出てくる。
【０００８】
上記のような事情に鑑みて本発明は、多くの電球を有する照明器具を容易に窓に取付けることができ、また照明器具の導体配線部を目立たなくさせることを目的とするものである。
【課題を解決するための手段】
【０００９】
上記の目的を達成するために、本発明のパネル型照明器具は、基板上に設けられた複数列のスペーサと、そのスペーサの片面に貼付された導体と、その導体に隣接する位置に設けられた複数のソケット挿入部とを備えた板状パネルを複数枚重ねたことを特徴とする。
【００１０】
本発明のパネル型照明器具は、前記の複数板状パネルのスペーサが前記のソケット挿入部の片側のみに配置されることを特徴とする。
【００１１】
本発明のパネル型照明器具は、前記の複数の板状パネルのスペーサが前記のソケット挿入部の両側に配置されることを特徴とする。
【００１２】
本発明の板状パネルは、基板上に設けられた複数列のスペーサと、そのスペーサの片面に貼付された導体と、その導体に隣接する位置に設けられた複数のソケット挿入部とを備えたことを特徴とする。
【００１３】
本発明のソケットは、複数の電極を備え、その複数の電極はソケットの高さ方向に配置され、その各電極はそれぞれ各板状パネルのスペーサに貼付された導体と接触する位置に配置されたことを特徴とする。
【００１４】
本発明のソケットは、電極の一端がソケットの外周を構成する本体部に固定され、他端が前記本体部に開けられた孔を介して外部に突出していることを特徴とする。
【００１５】
本発明のソケットは、電極の一端がソケットの外周を構成する本体部に固定され、他端は自由端に構成され、前記一端と他端間は弾性体で構成され、前記の弾性体の一部に突起部が設けられ、前記の突起部は本体部に開けられた孔を介して外部に突出していることを特徴とする。
【００１６】
本発明のパネル型照明器具は、複数列の配線が基板内に埋め込まれたパネル型照明器具において、前記の基板内で異なる高さに配置された複数列の配線と、前記の各配線のそれぞれに接続され、ソケットの端子を嵌め込むための複数のソケット電極受け部を備えたことを特徴とする。
【００１７】
本発明のソケットは、ソケットの複数の電極はソケットの底面から突出するように配置され、いずれか１つの電極の径のみが大きく構成され、前記の電極を前記ソケット電極受け部に嵌め込むことによって前記パネル型照明器具の基板に取付けられることを特徴とする。
【発明の効果】
【００１８】
本発明のパネル型照明器具によれば、複数の板状パネルを重ね合わせることにより、照明器具を構成できるので、いろいろなバリエーションの照明器具を簡単に設計することを可能とする。また、本発明の照明器具は、構造上、照明器具を正面から見た場合、複数の導体５の配置が人間の視覚に対して一直線上に配置されることになるので、何本の導体を使っても最小限の導体しか見えないようにする効果がある。
【００１９】
本発明のパネル型照明器具によれば前記の複数の板状パネルのスペーサが前記のソケット挿入部の片側のみに配置されるので、複数の導体５がパネル型照明器具の厚さ方向に配置されるので、パネル型照明器具を正面から見た場合、複数の導体が１本の導体のように見える効果がある。
【００２０】
本発明のパネル型照明器具によれば、前記の複数の板状パネルのスペーサが前記のソケット挿入部の両側に配置されるので、複数の導体５がパネル型照明器具の厚さ方向に配置されるので、パネル型照明器具を正面から見た場合、複数の導体が２本の導体に見える効果がある。
【００２１】
本発明の板状パネルによれば、複数の板状パネルを重ね合わせてパネル型照明器具が構成されるので、いろいろな設計のバリエーションを選択することが可能となる効果がある。
【００２２】
本発明のソケットによれば、複数の電極はソケットの高さ方向に配置されるので、複数の導体５が１本の導体のように見える効果がある。
【００２３】
本発明のソケットによれば、電極の一端がソケットの外周を構成する本体部に固定され、他端が前記本体部に開けられた孔を介して外部に突出しているので、この突出部をソケットの切り込み部に挿入し、９０度回転することによってパネル型照明器具にソケットを容易に取付けることができる効果がある。
【００２４】
本発明ソケットによれば、電極の一端がソケットの外周を構成する本体部に固定され、他端は自由端に構成され、前記一端と他端間は弾性体で構成され、前記の弾性体の一部に突起部が設けられ、前記の突起部は本体部に開けられた孔を介して外部に突出しているので、電極の弾性力によって、電極部の接触の信頼性を確保できる効果がある。
【００２５】
本発明のパネル型照明器具は、導体テープ照明器具を設置できないような空間にも設置できるので、電球の配置に関し導体テープ照明器具よりも多くの自由度を確保できる効果がある。
【００２６】
本発明のソケットによれば、ソケットの底面に設けられた電極をパネル型照明器具のソケット電極受け部に嵌め込むことによって、容易にソケットに取付けることができ、またソケットと導体接触の信頼性を確保できる効果がある。
【発明を実施するための最良の形態】
【００２７】
第１の実施例
以下、本発明の実施の形態について図面を参照しながら説明する。図１は、本発明の第１の実施例を示すものである。本発明のパネル型照明器具２００は、板状パネル１００a〜１００ｄを重ねて構成される。板状パネル１００a〜１００ｃは、基板１a〜１cにスペーサ４ａ〜４ｃ、スペーサ４ａ〜４ｃの各側面に取付けられた導体５ａ〜５ｃ、ソケット挿入部６を備える。一番上部にある板状パネル１００ｄは、基板１ｄにスペーサ及び導体がなく、ソケット挿入部６が複数設けてある。合計４枚の板状パネル１００a〜１００ｄは、例えば、図１に示すように、スペーサ４ａ〜４ｃ及び基板１a 〜1ｄにネジ５００を通すための貫通孔５０２を設け、基板1ｄの上部からネジ５００を通し、最下部の基板１aの底側からナット５０１で締めつけて固定することが出来る。なお、貫通孔５０２は１つしか例示してないが、必要に応じて複数個設けることが出来る。
【００２８】
図２は、板状パネル１００ａ〜１００ｃの構成を示す図である。板状パネル１００ａ〜１００ｄの材質は、例えば、アクリル板で構成されるが、それ以外の材質でもよい。スペーサ４は、図２に示すように基板１の１辺と平行になるように取付けられている。図２では、スペーサ４は、３列の場合が例示されているが、これに限られるものではなく、それ以上であってもよい。
【００２９】
スペーサ４は、その側面に導体５を取付けると共に、板状パネルを重ねた時に板状パネルと板状パネルの間を分離する機能を有する。導体５は、ソケット端子に電源を供給する。一方、各スペーサ間の導体５は、渡し導体５１，５２によって接続される。
【００３０】
次に、ソケット挿入部６について、図２を使って説明する。スペーサ４に取付けられた導体５のすぐ横に、ソケット挿入部６が設けられる。ソケット挿入部６は、スペーサ４の長手方向に沿って等間隔で配置されるのが、望ましい。
【００３１】
スペーサ４とソケット挿入部６の位置関係はは、図２に示すように、スペーサ４の右側にソケット挿入部６が配置してある。しかし、これに限られるものでなく、図３のようにスペーサ４の左側にソケット挿入部６が配置してあってもよい。
【００３２】
次に、ソケット２の構成を図４により説明する。本発明のパネル型照明器具２００のソケット２は、以下に説明する２つのタイプのソケットを使用している。第１のソケット２−１は、図４（A）に示すような電極２a、２ｃがそれぞれ図６に示す導体５a、５ｃと接続できる位置ある。第２のソケット２−２は、図４（C）に示すような電極２a、２ｂがそれぞれ図６に示す導体５a、５ｂと接続できる位置にある。本実施例では、前記のように２種類のソケットを使用しているが、これに限られるものでなく、電極２ｂ、２ｃを有し、それぞれが導体５ｂ、５ｃと接続できる位置にあるソケットを使用してもよい。ソケット２の電極２a〜２ｃは、ソケット本体部２１の内部にその一端が固定されており、他端は、ソケット本体部２１に設けられた孔２５a〜２５ｃを通って、ソケット本体部２１の外周面より外側に突き出ており、スペーサ４の側面に貼られた導体５a〜５ｃと接触するようになっている。
【００３３】
電球３は、例えば、図４（E）に示すように電球端子が２本ある市販のものを使用する。電球３をソケット２に嵌め込むと図４（B）、（D）に示すように電球３の端子３１、３２がそれぞれソケット２の電極２ｃ、２a又は、電極２ｂ、２aに接触するようになっている。
【００３４】
ソケット２の取付け方について、図５を使って説明する。ソケット２の電極２a、２ｃは、図５（Ａ）に示すようにソケット２の外周面の高さ方向に１直線上に配置されている。電球３を挿入したソケット２を取付けるには、突出した電極２a、２ｃを図５（B）に示すようにソケット挿入部６に設けられた切り込み部６１に合わせて嵌め込み、ソケット２の底面を板状パネル１００ａの底部まで押し込む。押し込んだ後、ソケット２を９０度回転させるとソケット２の電極２a、２ｃはそれぞれ導体５a、５ｃと接触する。図５（C）は、ソケット２を底部まで押し込んだ後、９０度回転させ、電極２ａ、２cが導体５a、５ｃと接触したときの状態を示す図である。電極２a、２ｃと導体５a、５ｃの接触を確実にさせるために、スペーサ４の材質は、ある程度弾力性のあるものが望ましい。
【００３５】
図６は、図１におけるD-D面に沿ったソケット部分及びスペーサ部分の端面図を示す。図６においては、ソケット挿入部６の配置が図２に示すようにスペーサ４の右側にソケット挿入部６が設けられている板状パネル１００ａ〜１００ｃを積み重ね、スペーサ４、導体５を備えていない板状パネル１００ｄをその上に載せて、本発明のパネル型照明器具２００が構成される。しかし、本発明のパネル型照明器具２００の構成は、これに限られるものでなく、ソケット挿入部６の配置が図３に示すように、右側にスペーサ４の左側にソケット挿入部６が設けられている板状パネル１００ａ〜１００ｃを積み重ねて、スペーサ４、導体５を備えない板状パネル１００ｄを一番上に配置したパネル型照明器具の構成も可能である。
【００３６】
図６は、電極２ａ、２ｃを有する第１のソケット２−１と電極２ａ、２ｂを有する第２のソケット２−２がパネル型照明器具２００に挿入されている例を示す。しかし、これに限るものでなく、パネル型照明器具２００上でどの電球を点灯させるかによって、パネル型照明器具２００上のどの位置に、どのタイプのソケットを使うか決定される。
【００３７】
第２の実施例
次に本発明の第２の実施例について図面を参照しながら説明する。図７は、第２の実施例のパネル型照明器具３００の斜視図であり、図８は、図７中のF―F断面図であり、図９は、第２の実施例で使用するソケット２の構成を示す図である。図７〜９において、図１〜６中の要素と同じ要素については、同じ符号を使用する。
【００３８】
第２の実施例において、前記第１の実施例との構造的な相違は、図７に示す板状パネル１００ａ、１００ｃとして図３に示す第２のタイプの板状パネル１１０を用い、板状パネル１ｂとして図２に示す第１のタイプの板状パネル１００を用いる点である。
【００３９】
第３の実施例
図８は第２の実施例で用いるソケット２の構成を示す図である。ソケット２は、円筒形をしたソケット２の本体部２１と電極部２２、２３から成る。本発明のパネル型照明器具３００のソケット２は、以下に説明する２つのタイプのソケットを使用している。第１のタイプのソケット２−３は、図８の左側に示すようにソケット２の電極２２、２３がそれぞれ導体５ｂ、５ｃと接続される位置にあり、第２のタイプのソケット２−４は、図８の右側に示すようにソケット２の電極２２，２４がそれぞれ導体５ｂ、５ａと接続される位置にある。本実施例では、前記のように２種類のソケットを使用しているが、ソケット２の電極の位置は、これに限られるものでなく、ソケット２の電極が導体５ａ、５ｃと接続できる位置にあるソケットを使用してもよい。
【００４０】
本発明のパネル型照明器具の第２の実施例のソケット２の構成と前記の第１の実施例のソケット２構造的な相違点は、第２の実施例のソケット２の電極弾性部２２、２３、２４は、弾性力を有する構成になっている点である。図９は、第３の実施例のソケット２−４を示す図である。図９（A）において、電球３がソケット２に挿入されていないときには、図９（Ａ）に示すようにソケット２の電極突起２２ｂ、２４ａは、ソケット本体部２１の外周面から突き出ていない状態である。電球３をソケット２に挿入した場合、図９（B）に示すように、電球３によってソケット２の電極２２、２４は押圧され、その結果、ソケット２の電極突起２２ｂ、２４ａは、それぞれソケット本体部２１に設けられた孔２５ｂ、２５ａを通って、ソケット本体部２１の外周面から突き出た状態になる。これによってソケット２の電極突起２２ｂ、２４ａはそれぞれ導体５ｂ、５ａと接触することになる。
【００４１】
第４の実施例
更に、本発明の第４の実施例について図面を参照して説明する。図１０は、第３の実施例のパネル型照明器具４００の斜視図である。図１０の手前は、断面図になっており、奥行き方向は斜視図になっている。図１１は、第３の実施例におけるパネル型照明器具４００を上方から見た図である。板状パネル１００の図中の実線は導体の配置を示し、円形の点線は、ソケット２の配置を示す。図１２は、第４の実施例のソケット２の断面図を示す。図１０〜１２において、図１〜６中の要素と同じ要素については、前記第１の実施例のものと同じ符号を使用する。
【００４２】
第３の実施例に示すパネル型照明器具４００は、前記の実施例のパネル型照明器具２００、３００のように板状パネルを複数枚重ねてパネル型照明器具を構成するものではなく、１枚の板状パネルの中に複数の導体を配置してなるパネル型照明器具である。本発明のパネル型照明器具４００は、３本の導体からなる配線になっている。導体５は、図１１に示すように導体５ａ、５ｂ、５ｃをパネル型照明器具４００の上方より見ると平行に配置されている。また、図１０に示すように、深さ方向においては、３本の導体５ａ、５ｂ、５ｃは、それぞれ高さが違う面上に配線される。
【００４３】
導体５ａ、５ｂ、５ｃはそれぞれソケット電極受け部９ａ、９ｂ、９ｃと半田等で接続される。そのソケット電極受け部９ａ，９ｂ，９ｃにソケット２の電極２６、２７、２８を嵌め込む。ソケット電極受け部９ａ，９ｂ，９ｃの長さは、図１０に示すようにそれぞれ異なっている。
【００４４】
次に、第４の実施例におけるソケットについて説明する。図１０に示す断面図手前左側の第１のソケット２−５は、ソケット本体部２１とソケット２の電極２６、２７と内部電極２６ａ、２７ａを有し、手前右側の第２のソケット２−６は、ソケット本体部２１とソケット２の電極２７、２８と内部電極２７ａ、２８ａを有している。図１２は、第３の実施例で使用するソケット２の拡大図である。電球３をソケット２に嵌め込むと電球端子３１、３２とソケット２の内部電極２６ａ、２７ａがそれぞれ接触する。ソケット２の電極２６、２７を板状パネル１２０のソケット電極受け部９ａ、９ｂに嵌め込むとソケット２の外部電極２６，２７がそれぞれソケット電極受け部９ａ，９ｂと接触し、電極嵌め込み部９ａ，９ｂを介して導体５ａ、５ｂと導通する。
【００４５】
第１のソケット２−５の電極２７は、ソケット２の電極２６より太くなっている。これは、間違えて電極部２７をソケット電極受け部９ａ，９ｃのうちどちらかに嵌め込まないようにするためである。これによって、ソケット２を板状パネル１００のソケット電極受け部９ａ、９ｂに嵌め込む際の作業効率が上がる。第２のソケットについても同様である。
【００４６】
最後に本発明の使用例を示す。本発明のパネル型照明器具は、１枚で使用することも、複数枚を組み合わせて使用することも出来る。複数枚を組み合わせて使用する場合は、図１３に示すようなパネルの隅付近に設けられた接続部１２―１，１２−２を介して、相互にパネル型照明器具を接続する。パネル型照明器具の接続部１２−１、１２−２は、図１４に示す端子部７の端子７ａ、７ｂ、７ｃをそれぞれ端子嵌め込み部８の端子嵌め込み口８ａ、８ｂ、８ｃに嵌め込む構成になっている。本発明のパネル型照明器具を使用する場合は、電源１０からコントローラ１１を介して本発明のパネル型照明器具に電源を供給する。
【図面の簡単な説明】
【００４７】
【図１】本件発明の第１の実施例のパネル型照明器具を示す斜視図である。
【図２】本発明のパネル型照明器具を構成する第１の板状パネルの斜視図である。
【図３】本発明のパネル型照明器具を構成する第２の板状パネルの斜視図である。
【図４】第１の実施例で用いられる２種類のソケットの構造を示す図である。（A）、（C）は、電球３をソケット２に嵌め込む前の図であり、（B）、(D)は、電球３をソケットに嵌め込んだ図である。（E）は、電球３を示す図である。
【図５】第１の実施例のパネル型照明器具において、ソケット２を板状パネルに嵌め込む時の手順を示す図である。（A）、（B）、（C）の順に時系列的に示してある。
【図６】図１中D―D線で切断したときの断面図を示す図である。
【図７】本発明の第２の実施例のパネル型照明器具を示す斜視図である。
【図８】図７中F―F線で切断したときの断面図を示す図である。
【図９】第２の実施例で用いられる第３の実施例のソケットの構造を示す図である。（A）は、電球３をソケット２に嵌め込む前の図であり、（B）は、電球３をソケット２に嵌め込んだ図である。
【図１０】本発明の第４の実施例のパネル型照明器具を示す斜視図である。図の手前端部は、断面図による内部の構造を示している。
【図１１】第４の実施例の導体の配線を示す図である。
【図１２】第４の実施例で使用するソケット２の断面図である。
【図１３】本発明のパネル型照明器具の使用例を示す図である。
【図１４】本発明のパネル型照明器具の端子部７と端子嵌め込み部８を示す図である。
【図１５】従来技術のパネル型照明器具を示す図である。
【符号の説明】
【００４８】
１ａ  最下部に位置する基板
１ｂ、１ｃ  中間部に位置する基板
１ｄ  最上部に位置する基板
２、２−１〜２−６    ソケット
２ａ、２ｂ、２ｃ、２２，２３，２４、２６，２７、２８  ソケット２の電極
３    電球
４、４ａ〜４ｃ    スペーサ
５、５ａ〜５ｃ    導体
６    ソケット挿入部
７、７ａ〜７ｃ    端子部
８、８ａ〜８ｃ    端子嵌め込み部
９ａ、９ｂ、９ｃ  ソケット電極受け部
１０    電源
１１  コントローラ
１２−１、１２−２  接続部
２１  ソケット本体
２２ｂ、２３ｃ、２４ａ  電極突起
２５ａ〜２５ｃ  孔
２６ａ、２７ａ、２８ａ  内部電極
３１、３２  電球端子
５１、５２  渡し導体
６１  切り込み部
１００、１１０、１２０    板状パネル
１００ａ、１１０ａ  最下部に位置する板状パネル
１００ｂ、１００ｃ、１１０ｃ  中間部に位置する板状パネル
１００ｄ  最上部に位置する板状パネル
２００，３００，４００  パネル型照明器具
【図１】
2005181457.tif 000003
【図２】
2005181457.tif 000004
【図３】
2005181457.tif 000005
【図４】
2005181457.tif 000006
【図５】
2005181457.tif 000007
【図６】
2005181457.tif 000008
【図７】
2005181457.tif 000009
【図８】
2005181457.tif 000010
【図９】
2005181457.tif 000011
【図１０】
2005181457.tif 000012
【図１１】
2005181457.tif 000013
【図１２】
2005181457.tif 000014
【図１３】
2005181457.tif 000015
【図１４】
2005181457.tif 000016
【図１５】
2005181457.tif 000017